(57)【要約】【課題】  所望の色相のみを調整する柔軟な色相調整が可能であると同時に調整対象領域の境界の色もなめらかでスムーズな色調整を可能とする。【解決手段】入力映像信号の第１および第２の色差信号に基づいて、調整対象となる色相領域を指定する対象色相領域指定手段１ａと、第１および第２の色差信号と、対象色相領域指定手段１ａによる指定結果に基づいて、第１および第２の色差信号が、対象色相領域指定手段１ａによって指定された指定領域に含まれるか否かを判定する調整対象検出手段２ａと、調整対象検出手段２ａによって第１および第２の色差信号が指定領域に含まれると判定される場合に、第１および第２の色差信号に色補正処理を施す補正処理手段３ａとを備える。【選択図】  図１
2005286666.tif 000002
【特許請求の範囲】
【請求項１】
映像信号の色を調整する装置において、
入力映像信号の第１および第２の色差信号に基づいて、調整対象となる色相領域を指定する対象色相領域指定手段と、
前記第１および第２の色差信号と、該対象色相領域指定手段による指定結果に基づいて、該第１および第２の色差信号が、該対象色相領域指定手段によって指定された指定領域に含まれるか否かを判定する調整対象検出手段と、
該調整対象検出手段によって前記第１および第２の色差信号が該指定領域に含まれると判定される場合に、該第１および第２の色差信号に色補正処理を施す補正処理手段とを備える色調整装置。
【請求項２】
前記対象色相領域指定手段は、前記第１および第２の色差信号成分を直交軸として構成される２次元座標平面上において、原点を始点とする２本の半直線を指定し、それらの半直線で挟まれた領域を調整対象として指定する請求項１に記載の色調整装置。
【請求項３】
前記対象色相領域指定手段は、前記２本の半直線のそれぞれの傾きと、それぞれの半直線が属する前記２次元座標平面の象限とを指定するためのレジスタを有する請求項２に記載の色調整装置。
【請求項４】
前記対象色相領域指定手段は、前記２次元座標平面における前記２本の半直線で挟まれる領域内に、調整中心軸となる半直線を指定する請求項１〜３のいずれかに記載の色調整装置。
【請求項５】
前記対象色相領域指定手段は、前記調整中心軸となる半直線の傾きと、その半直線の属する前記２次元座標平面の象限を指定するためのレジスタを有する請求項４に記載の色調整装置。
【請求項６】
前記調整対象検出手段は、算術演算手段と比較演算手段とを有する請求項１〜５のいずれかに記載の色調整装置。
【請求項７】
前記調整対象検出手段の算術演算手段と比較演算手段は、調整領域下限境界となる半直線の傾きと前記第１の色差信号とを乗算する第１の乗算器と、該第１の乗算器の乗算結果と前記第２の色差信号とを比較する第１の比較器と、調整領域上限境界となる半直線の傾きと入力される第２の色差信号とを乗算する第２の乗算器と、該第２の乗算器の乗算結果と前記第１の色差信号とを比較する第２の比較器とであり、
前記調整対象検出手段は、該第１および第２の比較器の比較結果に応じて、前記第１および第２の色差信号が、前記対象色相領域指定手段による指定領域に含まれるか否かを判定する判定回路をさらに有する請求項６に記載の色調整装置。
【請求項８】
前記補正処理手段は演算手段を有する請求項１〜７のいずれかに記載の色調整装置。
【請求項９】
前記補正処理手段は、前記演算手段として、色相の回転とゲイン乗算とを行う行列演算手段を有する請求項８に記載の色調整装置。
【請求項１０】
前記補正処理手段は、前記行列演算手段として、前記第１および第２の入力色差信号に係数をそれぞれ乗算する複数の乗算器と、乗算結果を加算する加算器とを有する請求項９に記載の色調整装置。
【請求項１１】
調整対象となる色相領域内の位置に応じて異なる行列係数を発生する補正行列発生手段をさらに備え、前記行列演算手段は該補正行列発生手段から出力された行列を用いて色相の回転とゲイン乗算とを行う請求項１０に記載の色調整装置。
【請求項１２】
前記補正行列発生手段は、前記２次元座標平面内における前記第１および第２の色差信号の点と調整領域上限境界または調整領域下限境界との距離に応じて異なる行列係数を発生する請求項１１に記載の色調整装置。
【請求項１３】
前記補正処理手段は、テーブル参照手段である請求項１〜７のいずれかに記載の色調整装置。
【請求項１４】
映像信号の色を調整する方法において、
入力映像信号の第１および第２の色差信号に基づいて、調整対象となる色相領域を指定する対象色相領域指定ステップと、
次いで、前記第１および第２の色差信号が、該対象色相領域指定ステップによって指定された指定領域に含まれるか否かを判定する調整対象検出ステップと、
該調整対象検出ステップによって指定された指定領域に、前記第１および第２の色差信号が含まれる場合に、該第１および第２の色差信号を色補正処理を施す補正処理ステップとを含む色調整方法。
【請求項１５】
前記対象色相領域指定ステップは、前記第１および第２の色差信号成分を直交軸として構成される２次元座標平面上において、原点を始点とする２本の半直線を指定し、それらの半直線で挟まれた領域を調整対象として指定する請求項１４に記載の色調整方法。
【請求項１６】
前記調整対象検出ステップは、算術演算処理と比較演算処理とを含む請求項１４または１５に記載の色調整方法。
【請求項１７】
前記補正処理ステップは演算処理により行われる請求項１４〜１６のいずれかに記載の色調整方法。
【請求項１８】
前記補正処理ステップは、前記演算処理として、色相の回転とゲイン乗算とを行う行列演算処理を含む請求項１７に記載の色調整方法。
【請求項１９】
調整対象となる色相領域内の位置に応じて異なる行列係数を発生する補正行列発生ステップをさらに含み、前記行列演算処理において、該補正行列発生ステップで生成された行列を用いて色相の回転とゲイン乗算とを行う請求項１８に記載の色調整方法。
【請求項２０】
前記補正処理ステップはテーブル参照処理により行われる請求項１４〜１６のいずれかに記載の色調整方法。
【発明の詳細な説明】
【技術分野】
【０００１】
本発明は、色調整装置および色調整方法に関し、特に、入力ディジタル画像情報中の特定の色を調整することが可能な色調整装置および色調整方法に関する。
【背景技術】
【０００２】
一般に、カラー画像を処理する画像処理装置においては、画像入力デバイスの特性および画像出力デバイスの特性の違いから生じる色合いの変化に対する調整が必要であり、さらにはユーザの嗜好に合わせるための調整も必要となる。このためには、柔軟性の高い色調整方法が要求される。
【０００３】
従来の色調整方法として、例えば特許文献１（特開平９−２００７９２号公報）には、色差信号の利得を調整する構成が開示されている。この従来技術では、ＲＧＢ信号と輝度信号Ｙにおける２つの色差信号Ｒ−ＹおよびＢ−Ｙによる色相の領域が４つに分割されて、各分割領域毎にＲ−Ｙ信号およびＢ−Ｙ信号の利得が設定され、各分割領域毎に異なる調整量により色相調整が行なわれる。
【０００４】
図１３は、特許文献１に開示されている従来の色相調整方法について説明するための図である。
【０００５】
図１３に示す従来の色調整方法では、入力画像（入力映像信号）の色相（色差信号）Ｐ（ＰＢ＝Ｂ−Ｙ、ＰＲ＝Ｒ−Ｙ）として、ＰＲとＰＢが共に正である場合（第１象限）にはα１およびβ１がそれぞれＲ−Ｙ信号およびＲ−Ｂ信号に対する利得係数として用いられ、色相Ｐ１（Ｂ−Ｙ１、Ｒ−Ｙ１）は色相調整後に色相Ｐ１’（α１×（Ｂ−Ｙ１）、β１×（Ｒ−Ｙ１）となる。また、ＰＲが負でＰＢが正である場合（第２象限）にはα２およびβ２がそれぞれＲ−Ｙ信号およびＲ−Ｂ信号に対する利得係数として用いられ、色相Ｐ２（Ｂ−Ｙ２、Ｒ−Ｙ２）は色相調整後に色相Ｐ２’（α２×（Ｂ−Ｙ２）、β２×（Ｒ−Ｙ２）となる。また、ＰＲとＰＢが共に負である場合（第３象限）にはα３およびβ３がそれぞれＲ−Ｙ信号およびＲ−Ｂ信号に対する利得係数として用いられ、色相Ｐ３（Ｂ−Ｙ３、Ｒ−Ｙ３）は色相調整後に色相Ｐ３’（α３×（Ｂ−Ｙ３）、β３×（Ｒ−Ｙ３）となる。また、ＰＲが正でＰＢが負である場合（第４象限）にはα４およびβ４がそれぞれＲ−Ｙ信号およびＲ−Ｂ信号に対する利得係数として用いられ、色相Ｐ４（Ｂ−Ｙ４、Ｒ−Ｙ４）は色相調整後に色相Ｐ４’（α４×（Ｂ−Ｙ４）、β４×（Ｒ−Ｙ４）となる。
【０００６】
従来の他の色相調整方法として、例えば特許文献２（特開２００１−１２５５５７号公報）には、ＬＵＴ（Ｌｏｏｋ  Ｕｐ  Ｔａｂｌｅ）を用いる構成が開示されている。この従来技術では、ＲＧＢ信号がＲ−Ｙ信号およびＢ−Ｙ信号に変換された後、それらＲ−Ｙ信号およびＢ−Ｙ信号から色相信号と彩度信号が検出され、色相信号と彩度信号の双方に対してＬＵＴを用いた調整が行なわれる。
【０００７】
図１４は、特許文献２に開示されている従来の色相調整装置の構成を説明するためのブロック図である。この図１４では、入力映像信号の色差信号Ｒ−ＹおよびＢ−Ｙから調整後の色差信号（Ｒ−Ｙ）’および（Ｂ−Ｙ）’を生成する部分のみを示している。
【０００８】
図１４に示す従来の色調整装置は、色差信号（Ｒ−Ｙ）’および（Ｂ−Ｙ）’がそれぞれ入力される色相検出手段１００および彩度検出手段１０１と、色相調整用のＬＵＴ１０２と、彩度調整用のＬＵＴ１０３と、加算器１０５と、乗算器１０６〜１０９とを有している。
【０００９】
この色調整装置では、色相検出手段１００により、入力映像信号の色差信号Ｒ−ＹおよびＢ−Ｙに基づいて画像の色相を検出し、検出された色相を色相ＬＵＴ１０２によって任意の値に変換する。そして、変換された色相を加算器１０５でレジスタ値と加算して色差発生手段１０４に入力し、色差信号に変換させる。
【００１０】
また、彩度検出手段１０１により入力映像信号の色差信号Ｒ−ＹおよびＢ−Ｙから画像の彩度を検出し、検出された彩度を乗算器１０６で彩度ＬＵＴ１０３の値と乗算した後、乗算器１０７でレジスタ値と乗算する。
【００１１】
そして、色差発生手段１０４から出力された色差信号と、乗算器１０７から出力された値とを乗算器１０８および１０９で乗算することによって、調整後の色差信号（Ｒ−Ｙ）’および（Ｂ−Ｙ）’を生成する。
【特許文献１】特開平９−２００７９２号公報
【特許文献２】特開２００１−１２５５５７号公報
【発明の開示】
【発明が解決しようとする課題】
【００１２】
しかしながら、特許文献１に記載されている色相調整方法では、色相の領域が色差信号の符号により４分割されており、その分割方法が固定されているため、調整を所望しない領域の色相まで変わってしまうという問題がある。また、各分割領域（色相調整領域）内に含まれる色相を調整するための利得係数として、同一のものが用いられるため、色相調整領域の境界近傍において、異なる調整領域に属する２つの色で調整後の色が大きく異なるという問題もある。
【００１３】
また、特許文献２に記載されている色相調整方法では、色相と彩度を用いて色調整を行うため、Ｒ−Ｙ信号およびＢ−Ｙ信号から色相および彩度に変換し、さらにその逆変換を行うために２つ以上のＬＵＴが必要とされ、回路規模が大きくなるという問題がある。
【００１４】
本発明は、上記従来技術の課題を解決するものであり、所望の色相のみを調整可能な色調整装置および色調整方法を提供することにある。また、本発明の他の目的は、所望の色相のみを柔軟に調整することが可能であり、調整対象領域の境界でも滑らかでスムーズな色調整可能な色調整装置および色調整方法を提供することにある。本発明のさらに他の目的は、Ｒ−Ｙ信号およびＢ−Ｙ信号から色相および彩度への変換とその逆変換のためのＬＵＴが不用であるために回路規模を縮小することができる色調整装置および色調整方法を提供することである。
【課題を解決するための手段】
【００１５】
本発明の色調整装置は、映像信号の色を調整する装置において、入力映像信号の第１および第２の色差信号に基づいて、調整対象となる色相領域を指定する対象色相領域指定手段と、前記第１および第２の色差信号と、該対象色相領域指定手段による指定結果に基づいて、該第１および第２の色差信号が、該対象色相領域指定手段によって指定された指定領域に含まれるか否かを判定する調整対象検出手段と、該調整対象検出手段によって前記第１および第２の色差信号が該指定領域に含まれると判定される場合に、該第１および第２の色差信号に色補正処理を施す補正処理手段とを備える。
【００１６】
好ましくは、前記対象色相領域指定手段は、前記第１および第２の色差信号成分を直交軸として構成される２次元座標平面上において、原点を始点とする２本の半直線を指定し、それらの半直線で挟まれた領域を調整対象として指定する。
【００１７】
好ましくは、前記対象色相領域指定手段は、前記２本の半直線のそれぞれの傾きと、それぞれの半直線が属する前記２次元座標平面の象限とを指定するためのレジスタを有する。
【００１８】
好ましくは、前記対象色相領域指定手段は、前記２次元座標平面における前記２本の半直線で挟まれる領域内に、調整中心軸となる半直線を指定する。
【００１９】
好ましくは、前記対象色相領域指定手段は、前記調整中心軸となる半直線の傾きと、その半直線の属する前記２次元座標平面の象限を指定するためのレジスタを有する。
【００２０】
好ましくは、前記調整対象検出手段は、算術演算手段と比較演算手段とを有する。
【００２１】
好ましくは、前記調整対象検出手段の算術演算手段と比較演算手段は、調整領域下限境界となる半直線の傾きと前記第１の色差信号とを乗算する第１の乗算器と、該第１の乗算器の乗算結果と前記第２の色差信号とを比較する第１の比較器と、調整領域上限境界となる半直線の傾きと入力される第２の色差信号とを乗算する第２の乗算器と、該第２の乗算器の乗算結果と前記第１の色差信号とを比較する第２の比較器とであり、前記調整対象検出手段は、該第１および第２の比較器の比較結果に応じて、前記第１および第２の色差信号が、前記対象色相領域指定手段による指定領域に含まれるか否かを判定する判定回路をさらに有する。
【００２２】
好ましくは、前記補正処理手段は演算手段を有する。
【００２３】
好ましくは、前記補正処理手段は、前記演算手段として、色相の回転とゲイン乗算とを行う行列演算手段を有する請求項８に記載の色調整装置。
【００２４】
好ましくは、前記補正処理手段は、前記行列演算手段として、前記第１および第２の入力色差信号に係数をそれぞれ乗算する複数の乗算器と、乗算結果を加算する加算器とを有する。
【００２５】
好ましくは、調整対象となる色相領域内の位置に応じて異なる行列係数を発生する補正行列発生手段をさらに備え、前記行列演算手段は該補正行列発生手段から出力された行列を用いて色相の回転とゲイン乗算とを行う。
【００２６】
好ましくは、前記補正行列発生手段は、前記２次元座標平面内における前記第１および第２の色差信号の点と調整領域上限境界または調整領域下限境界との距離に応じて異なる行列係数を発生する。
【００２７】
好ましくは、前記補正処理手段は、テーブル参照手段である。
【００２８】
また、本発明は、映像信号の色を調整する方法において、入力映像信号の第１および第２の色差信号に基づいて、調整対象となる色相領域を指定する対象色相領域指定ステップと、次いで、前記第１および第２の色差信号が、該対象色相領域指定ステップによって指定された指定領域に含まれるか否かを判定する調整対象検出ステップと、該調整対象検出ステップによって指定された指定領域に、前記第１および第２の色差信号が含まれる場合に、該第１および第２の色差信号を色補正処理を施す補正処理ステップとを含む。
【００２９】
好ましくは、前記対象色相領域指定ステップは、前記第１および第２の色差信号成分を直交軸として構成される２次元座標平面上において、原点を始点とする２本の半直線を指定し、それらの半直線で挟まれた領域を調整対象として指定する。
【００３０】
好ましくは、前記調整対象検出ステップは、算術演算処理と比較演算処理とを含む。
【００３１】
好ましくは、前記補正処理ステップは演算処理により行われる。
【００３２】
好ましくは、前記補正処理ステップは、前記演算処理として、色相の回転とゲイン乗算とを行う行列演算処理を含む。
【００３３】
好ましくは、調整対象となる色相領域内の位置に応じて異なる行列係数を発生する補正行列発生ステップをさらに含み、前記行列演算処理において、該補正行列発生ステップで生成された行列を用いて色相の回転とゲイン乗算とを行う。
【００３４】
好ましくは、前記補正処理ステップはテーブル参照処理により行われる。
【発明の効果】
【００３５】
本発明によれば、所望の色相のみを調整することが可能であり、また、調整対象色相領域境界付近の色差信号点の調整結果をなめらかでスムーズなものにすることが可能である。さらに、従来技術のように、Ｒ−Ｙ信号およびＢ−Ｙ信号から色相と彩度への変換とその逆変換のために２つ以上のＬＵＴを必要とせず、回路規模を縮小化することが可能である。
【発明を実施するための最良の形態】
【００３６】
以下に、本発明の色調整装置および色調整方法の実施形態１〜３について、図面に基づいて説明する。
【００３７】
（実施形態１）
図１は、本発明の色調整装置の実施形態１を示すブロック図である。
【００３８】
図１に示す色調整装置は、入力される入力映像の２つの色差信号成分Ｂ−ＹおよびＲ−Ｙに基づいて、調整対象となる色相領域を指定する対象色相領域指定手段１と、対象色相領域指定手段１の出力と、入力される入力映像の２つの色差信号成分Ｂ−ＹおよびＲ−Ｙとに基づいて、これらの色差信号が、調整対象色相領域に含まれるか否かを判定する調整対象検出手段２と、入力される入力映像の２つの色差信号成分Ｂ−ＹおよびＲ−Ｙと、調整対象検出手段２の出力に基づいて、これらの色差信号が調整対象色相領域に含まれる場合に色補正処理を施す補正処理手段３とを備えている。補正処理手段３は、色調整が行われた２つの色差信号成分（Ｂ−Ｙ）’および（Ｒ−Ｙ）’を出力する。
【００３９】
映像信号の色を調整する装置に入力される色差信号成分Ｂ−ＹおよびＲ−Ｙとしては、信号源からの画像情報を輝度信号ＹとＲＧＢ信号から得られるつの色差信号成分Ｂ−ＹおよびＲ−Ｙが入力される。このような信号源としては、例えば固体撮像素子、蓄積された画像情報を読み出して出力可能な記憶装置など、カラー画像情報を出力し得るものであれば、いずれも用いることが可能である。
【００４０】
また、色調整装置によって色調整されて出力される２つの色差信号成分（Ｒ−Ｙ）’および（Ｂ−Ｙ）’は、表示デバイス、蓄積デバイス、その他の信号処理手段のいずれか一つもしくは複数に入力されて、それぞれの目的に使用することができる。その他の信号処理手段としては、例えば、高画質化のためのフィルター処理手段、画像圧縮処理手段、画像サイズ変更手段などが挙げられる。
【００４１】
以下に、図１の色調整装置における各ブロックの構成例について説明する。
【００４２】
図２は、対象色相領域指定手段１の構成例を示すブロック図である。
【００４３】
この対象色相領域指定手段１では、色調整の対象となる色差信号点の領域が、２つの色差信号Ｒ−Ｙ、Ｂ−Ｙを直交軸とする２次元座標平面上で指定される。
【００４４】
図２に示す対象色相領域指定手段１は、調整下限境界レジスタ１０と、調整上限境界レジスタ１１とを有している。
【００４５】
調整下限境界レジスタ１０および調整上限境界レジスタ１１は、２つの色差信号成分を直交軸として構成される２次元平面上において、原点を始点とする２本の半直線を指定するために用いられる。これらのレジスタ１０および１１に対して、それぞれの半直線の傾きと、それぞれの半直線が属する象限とがレジスタ値として与えられることによって、半直線が指定され、それらの半直線で挟まれた領域が調整対象として指定される。
【００４６】
調整下限境界レジスタ１０には、調整下限境界である半直線の傾きＭＬと、その半直線が属する象限ＱＬとがレジスタ値として与えられる。同様に、調整上限境界レジスタ１１には、調整上限境界である半直線の傾きＭＵと、その半直線が属する象限ＱＵとがレジスタ値として与えられる。そして、調整下限境界レジスタ１０で指定された半直線を、調整上限境界レジスタ１１で示された半直線まで、原点を中心として反時計回りに回転させたときに、その半直線が通る軌跡上に存在する色差信号点が調整対象色相領域に含まれる点とされる。本実施形態の色調整装置では、この調整対象色相領域に含まれる色差信号点が色調整の対象となる。
【００４７】
図３は、調整対象検出手段２の構成例を示すブロック図である。
【００４８】
この調整対象検出手段２では、入力映像信号の色差信号が、調整対象色相領域指定手段１で指定された領域に含まれるか否かが判定される。
【００４９】
図３に示す調整対象検出手段２は、乗算器２０および２２と、比較器２１および２３と、領域内判定回路２４とを有している。
【００５０】
乗算器２０では、調整下限境界の傾きＭＬと入力色差信号Ｂ−Ｙとが乗算され、比較器２１では、乗算器２０の乗算結果と入力色差信号Ｒ−Ｙとが比較される。比較器２１からは、例えば乗算器２０の乗算結果が入力色差信号Ｒ−Ｙよりも小さいかまたは等しいときに「１」、乗算器２０の乗算結果が入力色差信号Ｒ−Ｙよりも大きいときに「０」が出力される。乗算器２２では、調整上限境界の傾きＭＵと入力色差信号Ｂ−Ｙとが乗算され、比較器２３では、乗算器２２の乗算結果と入力色差信号Ｂ−Ｙとが比較される。比較器２３からは、例えば乗算器２２の乗算結果が入力色差信号Ｂ−Ｙよりも小さいかまたは等しいときに「１」、乗算器２２の乗算結果が入力色差信号Ｂ−Ｙよりも大きいときに「０」が出力される。
【００５１】
領域内判定回路２４では、調整下限境界レジスタ１０から与えられる調整下限境界の半直線の象限ＱＬと調整上限境界レジスタ１１から与えられる調整上限境界の半直線の象限ＱＵとの位置関係と、比較器２１および比較器２３によるそれぞれの比較結果に基づいて、調整対象検出手段２に入力された色差信号点が調整対象領域に含まれるか否かが判定される。
【００５２】
領域内判定回路２４からは、例えば調整下限境界の半直線と調整上限境界の半直線との間の調整領域内側角度が１８０°以下である場合、下記表１に示すような出力信号（判定結果）ＬＯＵが出力される。
【００５３】
【表１】
2005286666.tif 000003
表１において、Ｌａは比較器２１からの出力信号、Ｕａは比較器２３の出力信号である。例えば、調整下限境界の半直線の象限ＱＬが第１象限で、調整上限境界の半直線の象限ＱＵが第１象限である場合には、領域内判定回路２４からの出力ＬＯＵとして、比較器２１からの出力信号Ｌａと、比較器２３からの出力信号Ｕａの反転信号＾Ｕａ（出力信号Ｕａが「１」の場合には＾Ｕａは「０」、出力信号Ｕａが「０」の場合には＾Ｕａは「１」）とを乗算したＬａ×＾Ｕａが出力される。また、調整下限境界の半直線の象限ＱＬが第２象限で、調整上限境界の半直線の象限ＱＵが第２象限である場合には、領域内判定回路２４からの出力ＬＯＵとして、比較器２１からの出力信号Ｌａの反転信号＾Ｌａ（出力信号Ｌａが「１」の場合には＾Ｌａは「０」、出力信号Ｌａが「０」の場合には＾Ｌａは「１」）と、比較器２３からの出力信号Ｕａとを乗算した＾Ｌａ×Ｕａが出力される。
【００５４】
このように、調整下限境界の半直線の象限ＱＬが第１象限または第４象限である場合には比較器２１からの出力信号Ｌａが用いられ、第２象限または第３象限である場合にはＬａの反転信号＾Ｌａが用いられる。また、調整上限境界の半直線の象限ＱＵが第２象限または第３象限である場合には比較器２３からの出力信号Ｕａが用いられ、第１象限または第４象限である場合にはＵａの反転信号＾Ｕａが用いられる。
【００５５】
さらに、調整下限境界の半直線の象限ＱＬが第１象限で、調整上限境界の半直線の象限ＱＵが第４象限である場合と、調整下限境界の半直線の象限ＱＬが第２象限で、調整上限境界の半直線の象限ＱＵが第１象限である場合と、調整下限境界の半直線の象限ＱＬが第３象限で、調整上限境界の半直線の象限ＱＵが第２象限である場合と、調整下限境界の半直線の象限ＱＬが第４象限で、調整上限境界の半直線の象限ＱＵが第３象限である場合には、調整下限境界レジスタ１０で指定された半直線を、調整上限境界レジスタ１１で示された半直線まで、原点を中心として反時計回りに回転させたときに、調整領域内側角度が１８０°を超えるため（    ０になる理由は、これでよろしいでしょうか    ）、領域内判定回路２４からの出力ＬＯＵとして「０」が出力される。
【００５６】
表１の動作を実現する領域内判定回路２４は、場合分けにより色差信号点が調整対象領域内にあるときに「１」、調整対象領域外にあるときに「０」を出力する回路であり、比較演算回路によって実現することができる。
【００５７】
図４は、補正処理手段３の構成例を示すブロック図である。
【００５８】
この補正処理手段３では、色相の回転とゲイン乗算とが行列演算処理により行われる。
【００５９】
図４に示す補正処理手段３は、乗算器３０、３１、３３および２３と、加算器３２および３５と、選択器３６および３７とを有している。
【００６０】
乗算器３０では色差信号Ｂ−Ｙに係数Ａが乗算され、乗算器３１では色差信号Ｒ−Ｙに係数Ｂが乗算される。そして、加算器３２では乗算器３０の出力と乗算器３１の出力が加算される。また、乗算器３３では色差信号Ｂ−Ｙに係数Ｃが乗算され、乗算器３４では色差信号Ｒ−Ｙに係数Ｄが乗算される。そして、加算器３５では乗算器３３の出力と乗算器３４の出力が加算される。ここで、加算器３２の出力と加算器３５の出力とは、それぞれ色補正後のＢ−ＹおよびＲ−Ｙであり、これらの乗算器３０、３１、３３および２３と、加算器３２および３５とによって、行列Ｑ
【００６１】
【数１】
2005286666.tif 000004
を用いて、行列演算処理
【００６２】
【数２】
2005286666.tif 000005
による補正を行うことができる。
【００６３】
さらに、上記行列Ｑの各係数に対して、Ａ＝Ｄ＝ｇ×ｃｏｓθ、Ｂ＝−ｇ×ｓｉｎθ、Ｃ＝ｇ×ｓｉｎθと設定することにより、角度θの色相回転とｇのゲイン乗算により色差信号の補正を行なうことができる。
【００６４】
選択器３６では加算器３２の出力と入力色差信号Ｂ−Ｙとが調整対象検出手段２からの出力信号ＬＯＵにより選択される。また、選択器３７では加算器３５の出力と入力色差信号Ｒ−Ｙとが調整対象検出手段２の出力信号ＬＯＵにより選択される。ここでは、入力色差信号点が調整対象領域内にあるときは行列Ｑによる補正後の信号が出力され、入力色差信号点が調整対象領域外にあるときは補正していない入力色差信号がそのまま出力される。
【００６５】
なお、選択器３６および３７による機能は、調整対象検出手段２の出力信号ＬＯＵにより行列Ｑを切り替えることによっても実現可能である。その場合、調整対象検出手段２からの出力信号ＬＯＵが「１」のとき、すなわち入力色差信号点が調整対象領域内にあるときは上記行列Ｑを用い、調整対象検出手段２からの出力信号ＬＯＵが「０」のとき、すなわち入力色差信号点が調整対象領域外にあるときは、２×２の単位行列
【００６６】
【数３】
2005286666.tif 000006
を用いる。
【００６７】
本実施形態では、色調整対象領域とその領域に含まれる色差信号点に対する補正量を計算するための補正行列をそれぞれ１つだけ指定した場合について説明したが、それらを複数指定する場合についても、対象色相領域指定手段および調整対象検出手段を複数設けることによって実現可能である。
【００６８】
以上のように、本実施形態によれば、対象色相領域指定手段１により調整対象を２つの色差信号に対応する特定の領域に限定し、調整対象検出手段２により入力映像の２つの色差信号点が調整対象領域に含まれるか否かを検出するようになっているために、所望の色相のみを調整することが可能である。また、調整対象検出手段２により入力映像の色差信号点が調整対象領域に含まれることが判明した場合には、補正処理手段３で色補正処理を行なうために、調整対象色相領域境界付近で滑らかでスムーズに色差信号の調整を行うことが可能である。
【００６９】
対象色相領域指定手段１では、調整対象となる色相領域を、２つの入力色差信号成分を直交座標とする２次元の座標平面内において、原点を始点とする２本の半直線で挟まれた領域により指定することが可能であり、同一色相の領域を容易に指定して、所望の色相のみを調整対象とすることが可能である。
【００７０】
調整対象検出手段２は、算術演算手段（乗算器、加算器）と比較演算手段（比較器）とによって実現可能であるため、従来技術のように、Ｒ−Ｙ信号およびＢ−Ｙ信号から色相および彩度への変換とその逆変換のために必要とされる２つ以上のＬＵＴは不要であり、回路規模を縮小化することができる。
【００７１】
また、補正処理手段３では、調整対象色相領域内の色差信号点に対して演算手段（乗算器、加算器、選択器）を用いて補正処理（色調整）を行うことが可能であるため、従来技術のように、Ｒ−Ｙ信号およびＢ−Ｙ信号から色相および彩度への変換とその逆変換のために必要とされる２つ以上のＬＵＴが不要であり、回路規模を縮小化することができる。
【００７２】
また、演算手段として色相の回転とゲイン乗算を実現する行列演算手段を用いることにより、調整対象色相領域内の色差信号点に対して、色相の回転による色相の調整を行い、ゲイン乗算により彩度の調整を行なうことができるために、特に所望の色相のみに対して柔軟な色相調整が可能となる。
【００７３】
（実施形態２）
５は、本発明の色調整装置の実施形態２を示すブロック図である。なお、この図５において、実施形態１で図１を用いて説明したブロックと同じ機能を有するブロックについては同じ符号を付しており、ここでは説明を省略する。
【００７４】
図５に示す色調整装置は、調整対象となる色相領域を入力映像信号の２つの色差信号に基づいて指定する対象色相領域指定手段１ａと、入力映像信号の２つの色差信号が、指定された調整対象色相領域に含まれるか否かを判定する調整対象検出手段２ａと、入力映像信号の色差信号が調整対象色相領域に含まれる場合に、入力映像信号の２つの色差信号に対して色補正処理を施す補正処理手段３ａと、補正対象の色差信号点の調整対象色相領域内での位置に応じて異なる行列係数を発生する行列発生手段４とを備えており、２つの色差信号成分Ｂ−ＹおよびＲ−Ｙが入力されて色調整が行われ、色調整後の２つの色差信号（Ｂ−Ｙ）’および（Ｒ−Ｙ）’が出力される。
【００７５】
以下に、図５の色調整装置における各ブロックの構成例について説明する。
【００７６】
図６は、対象色相領域指定手段１ａの構成例を示すブロック図である。
【００７７】
この対象色相領域指定手段１ａでは、色調整の対象となる色差信号点の領域が、２つの色差信号Ｒ−Ｙ、Ｂ−Ｙを直交軸とする２次元座標平面上で指定される。
【００７８】
図２に示す対象色相領域指定手段１ａは、調整下限境界レジスタ１０と、調整上限境界レジスタ１１と、調整中心軸レジスタ１２とを有している。
【００７９】
調整下限境界レジスタ１０および調整上限境界レジスタ１１は、図２と同様に、２つの色差信号成分を直交軸として構成される２次元座標平面上において、原点を始点とする２本の半直線を指定するために用いられる。調整下限境界レジスタ１０および調整上限境界レジスタ１１に対して、それぞれの半直線の傾きとそれぞれの半直線の属する象限とがレジスタ値として与えられることによってそれぞれの半直線が指定され、それらの半直線で挟まれた領域が調整対象として指定される。
【００８０】
調整下限境界レジスタ１０には、調整下限境界である半直線の傾きＭＬと、その半直線が属する象限ＱＬとがレジスタ値として与えられる。同様に、調整上限境界レジスタ１１には、調整上限境界である半直線の傾きＭＵと、その半直線が属する象限ＱＵとがレジスタ値として与えられる。そして、調整下限境界レジスタ１０で指定された半直線を、調整上限境界レジスタ１１で示された半直線まで、原点を中心として反時計回りに回転させたときに、その半直線が通る軌跡上に存在する色差信号点が調整対象色相領域に含まれる点とされる。本実施形態の色調整装置では、この調整対象色相領域に含まれる色差信号点が色調整の対象となる。
【００８１】
調整中心軸レジスタ１２は、調整下限境界レジスタ１０、調整上限境界レジスタ１１によって指定される対象色相領域内の原点を始点とする半直線を指定するために用いられる。調整中心軸レジスタ１２に対して、調整中心軸の傾きとその属する象限とがレジスタ値として与えられることによって調整中心軸が指定される。
【００８２】
調整中心軸レジスタ１２には、調整中心軸である半直線の傾きＭＣと、その半直線が属する象限ＱＣとがレジスタ値として与えられる。
【００８３】
図７は、調整対象検出手段２ａの構成例を示すブロック図である。
【００８４】
この調整対象検出手段２ａでは、入力映像信号の色差信号が、調整対象色相領域指定手段１ａで指定された領域に含まれるか否かが判定される。
【００８５】
図７に示す調整対象検出手段２ａは、乗算器２０、２２および２５と、比較器２１、２３および２６と、下限領域内判定回路２７および上限領域内判定回路２８とを有している。
【００８６】
乗算器２０では、図３と同様に、調整下限境界の傾きＭＬと入力色差信号Ｂ−Ｙとが乗算され、比較器２１では、乗算器２０の乗算結果と入力色差信号Ｒ−Ｙとが比較される。比較器２１からは、例えば乗算器２０の乗算結果が入力色差信号Ｒ−Ｙよりも小さいかまたは等しいときに「１」、乗算器２０の乗算結果が入力色差信号Ｒ−Ｙよりも大きいときに「０」が出力される。乗算器２２では、図３と同様に、調整上限境界の傾きＭＵと入力色差信号Ｂ−Ｙとが乗算され、比較器２３では、乗算器２２の乗算結果と入力色差信号Ｂ−Ｙとが比較される。
【００８７】
比較器２３からは、例えば乗算器２２の乗算結果が入力色差信号Ｂ−Ｙよりも小さいかまたは等しいときに「１」、乗算器２２の乗算結果が入力色差信号Ｂ−Ｙよりも大きいときに「０」が出力される。乗算器２５では、調整中心軸の傾きＭＣと入力色差信号Ｂ−Ｙとが乗算され、比較器２６では、乗算器２５の乗算結果と入力色差信号Ｒ−Ｙとが比較される。比較器２６からは、例えば乗算器２５の乗算結果が入力色差信号Ｒ−Ｙよりも小さいかまたは等しいときに「１」、乗算器２５の乗算結果が入力色差信号Ｒ−Ｙよりも大きいときに「０」が出力される。
【００８８】
下限領域内内判定回路２７では、調整下限境界レジスタ１０から与えられる調整下限境界の半直線の象限ＱＬと調整中心軸レジスタ１２から与えられる調整中心軸の半直線の象限ＱＣとの位置関係と、比較器２１および比較器２６による比較結果から、調整対象検出手段２ａに入力された色差信号点が下限対象領域に含まれるか否かが判定される。
【００８９】
下限領域内判定回路２７からは、例えば調整下限境界の半直線と調整中心軸の半直線との間の下限領域内側角度が１８０°以下である場合、次の表２に示すような出力信号（判定結果）ＬＯＣが出力される。
【００９０】
【表２】
2005286666.tif 000007
表２において、Ｌａは比較器２１からの出力信号、Ｃａは比較器２６の出力信号である。例えば、調整下限境界の半直線の象限ＱＬが第１象限で、調整中心軸の半直線の象限ＱＣが第１象限である場合には、下限領域内判定回路２７からの出力ＬＯＣとして、比較器２１からの出力信号Ｌａと、比較器２６からの出力信号Ｃａの反転信号＾Ｃａ（出力信号Ｃａが「１」の場合には＾Ｃａは「０」、出力信号Ｃａが「０」の場合には＾Ｃａは「１」）とを乗算したＬａ×＾Ｃａが出力される。また、調整下限境界の半直線の象限ＱＬが第２象限で、調整中心軸の半直線の象限ＱＣが第２象限である場合には、下限領域内判定回路２７からの出力ＬＯＣとして、比較器２１からの出力信号Ｌａの反転信号＾Ｌａ（出力信号Ｌａが「１」の場合には＾Ｌａは「０」、出力信号Ｌａが「０」の場合には＾Ｌａは「１」）と、比較器２６からの出力信号Ｃａとを乗算した＾Ｌａ×Ｃａが出力される。このように、調整下限境界の半直線の象限ＱＬが第１象限または第４象限である場合には比較器２１からの出力信号Ｌａが用いられ、第２象限または第３象限である場合にはＬａの反転信号＾Ｌａが用いられる。また、調整中心軸の半直線の象限ＱＣが第２象限または第３象限である場合には比較器２６からの出力信号Ｃａが用いられ、第１象限または第４象限である場合にはＣａの反転信号＾Ｃａが用いられる。さらに、調整下限境界の半直線の象限ＱＬが第１象限で、調整中心軸の半直線の象限ＱＣが第４象限である場合と、調整下限境界の半直線の象限ＱＬが第２象限で、調整中心軸の半直線の象限ＱＣが第１象限である場合と、調整下限境界の半直線の象限ＱＬが第３象限で、調整中心軸の半直線の象限ＱＣが第２象限である場合と、調整下限境界の半直線の象限ＱＬが第４象限で、調整中心軸の半直線の象限ＱＣが第３象限である場合には、調整下限境界レジスタ１０で指定された半直線を、調整中心軸レジスタ１２で示された半直線まで、原点を中心として反時計回りに回転させたときに、下限領域内側角度が１８０°を超えるため、下限領域内判定回路２７からの出力ＬＯＣとして「０」が出力される。
【００９１】
表２の動作を実現する下限領域内判定回路２７は、場合分けにより色差信号点が下限対象領域内にあるときに「１」、下限対象領域外にあるときに「０」を出力する回路であり、比較演算回路によって実現することができる。
【００９２】
上限領域内内判定回路２８では、調整中心軸レジスタ１２から与えられる調整中心軸の半直線の象限ＱＣと調整上限境界レジスタ１１から与えられる調整上限境界の半直線の象限ＱＵとの位置関係と、比較器２３および比較器２６によるそれぞれの比較結果とから、調整対象検出手段２ａに入力された色差信号点が上限対象領域に含まれるか否かが判定される。
【００９３】
上限領域内判定回路２８からは、例えば調整中心軸の半直線と調整上限境界の半直線との間の上限領域内側角度が１８０°以下である場合、下記表３に示すような出力信号（判定結果）ＣＯＵが出力される。
【００９４】
【表３】
2005286666.tif 000008
表３において、Ｃａは比較器２６の出力信号、Ｕａは比較器２３からの出力信号である。例えば、調整中心軸の半直線の象限ＱＣが第１象限で、調整上限境界の半直線の象限ＱＵが第１象限である場合には、上限領域内判定回路２８からの出力ＣＯＬとして、比較器２６からの出力信号Ｃａと、比較器２３からの出力信号Ｕａの反転信号＾Ｕａ（出力信号Ｕａが「１」の場合には＾Ｕａは「０」、出力信号Ｕａが「０」の場合には＾Ｕａは「１」）とを乗算したＣａ×＾Ｕａが出力される。また、調整中心軸の半直線の象限ＱＣが第２象限で、調整上限境界の半直線の象限ＱＵが第２象限である場合には、上限領域内判定回路２８からの出力ＣＯLとして、比較器２６からの出力信号Ｃａの反転信号＾Ｃａ（出力信号Ｃａが”１”の場合には＾Ｃａは”０”、出力信号Ｃａが”０”の場合には＾Ｃａは「１」）と、比較器２３からの出力信号Ｕａとを乗算した＾Ｃａ×Ｕａが出力される。
【００９５】
このように、調整中心軸の半直線の象限ＱＣが第１象限または第４象限である場合には比較器２６からの出力信号Ｃａが用いられ、第２象限または第３象限である場合にはＣａの反転信号＾Ｃａが用いられる。また、調整上限境界の半直線の象限ＱＵが第２象限または第３象限である場合には比較器２３からの出力信号Ｕａが用いられ、第１象限または第４象限である場合にはＵａの反転信号＾Ｕａが用いられる。
【００９６】
さらに、調整中心軸の半直線の象限ＱＣが第１象限で、調整上限境界の半直線の象限ＱＵが第４象限である場合と、調整中心軸の半直線の象限ＱＣが第２象限で、調整上限境界の半直線の象限ＱＵが第１象限である場合と、調整中心軸の半直線の象限ＱＣが第３象限で、調整上限境界の半直線の象限ＱＵが第２象限である場合と、調整中心軸の半直線の象限ＱＣが第４象限で、調整上限境界の半直線の象限ＱＵが第３象限である場合には、調整中心軸レジスタ１２で指定された半直線を、調整上限境界レジスタ１１で示された半直線まで、原点を中心として反時計回りに回転させたときに、上限領域内側角度が１８０°を超えるため、上限領域内判定回路２８からの出力ＣＯＬとして「０」が出力される。
【００９７】
表３の動作を実現する上限領域内判定回路２８は、場合分けにより色差信号点が上限対象領域内にあるときに「１」、上限対象領域外にあるときに「０」を出力する回路であり、比較演算回路によって実現することができる。
【００９８】
図８は、補正行列発生手段４の構成例を示すブロック図である。
【００９９】
この補正行列発生手段４では、調整対象領域内の位置に応じて異なる行列係数が発生され、例えば入力色差信号点と調整領域上限境界または調整領域下限境界との距離に応じて異なる行列係数が発生される。
【０１００】
図８の補正行列発生手段４は、乗算器４０、４２、４３、４５、５３、５７、６０および６２と、差分絶対値演算器４１および４４と、加算器４６、５４および５８と、除算機４７と、否定演算器４８と、論理積演算器４９と、選択器５０、５１、５５、５９、６１および６３と、減算器５２および５６と、論理和演算器６４とを有している。
【０１０１】
乗算器４０では、調整中心軸の傾きＭｃと入力色差信号Ｂ−Ｙとが乗算され、差分絶対値演算器４１では、乗算器４０と入力色差信号Ｒ−Ｙとの差分絶対値が計算される。乗算器４２では、差分絶対値演算器４１の出力と
【０１０２】
【数４】
2005286666.tif 000009
で表される定数とが乗算される。この定数値は、調整中心軸レジスタ１２のレジスタ値を設定したときに同時に決定されるものであり、予め計算した上でレジスタなどに設定しておくことが可能である。乗算器４２からの出力は、入力色差信号点と調整中心軸との距離を表す。
【０１０３】
否定演算器４８および論理積演算器４９では、下限領域内判定回路２７からの出力信号ＬＯＣと上限領域内判定回路２８からの出力信号ＣＯＵとが入力されて論理演算が行なわれる。論理積演算器４９からの出力は、入力色差信号点が下限対象領域内にあるときには「１」、下限対象領域外にあるときには「０」となる。
【０１０４】
選択器５０では、論理積演算器４９の出力が「１」のときに調整下限境界の傾きＭＬが、「０」のときに調整上限境界の傾きＭＵが出力される。選択器５１では、論理積演算器４９の出力が「１」のときに
【０１０５】
【数５】
2005286666.tif 000010
で表される定数が出力される。また、「０」のときには、
【０１０６】
【数６】
2005286666.tif 000011
で表される定数が出力される。これらの定数値は、それぞれ、調整下限境界レジスタ１０および調整上限境界レジスタ１１のレジスタ値を設定したときに同時に決定されるものであり、予め計算した上でレジスタなどに設定しておくことが可能である。
【０１０７】
乗算器４３では、比較器５０の出力と入力色差信号Ｂ−Ｙとが乗算され、差分絶対値演算器４４では、乗算器５０と入力色差信号Ｒ−Ｙとの差分絶対値が計算される。乗算器４５では、差分絶対値演算器４４の出力と比較器５１の出力とが乗算される。乗算器４５からの出力は、入力色差信号点が下限対象領域内にあるときには入力色差信号点と調整下限境界との距離を、入力色差信号点が上限対象領域内にあるときには入力色差信号点と調整上限境界との距離を表す。
【０１０８】
加算器４６では、乗算器４２の出力と乗算器４５の出力とが加算され、除算器４７では、乗算器４２の出力が加算器４６の出力で除算される。除算器４７の出力を調整係数Ｋ、乗算器８３の出力をＤＣ、乗算器９２の出力をＤＢとすると、
【０１０９】
【数７】
2005286666.tif 000012
と表される。ＤＣは入力色差信号点と調整中心軸との距離、ＤＢは入力色差信号点とそれが属する領域の調整境界（調整上限境界または調整下限境界）との距離を表している。よって、調整対象領域に属する入力色差信号点に対して、調整係数Ｋとしては、調整中心軸上の点に対しては「１」となり、調整中心軸から離れるにしたがって値が小さくなり、調整境界上では「０」となるような０〜１の間の値が与えられる。
【０１１０】
Ａ〜Ｄは、図６と同様に補正行列Ｑの係数を表しており、レジスタの設定などとしてあらかじめ与えられている。減算器５２では係数Ａが１減算されて（Ａ−１）が計算され、乗算器５３では、減算器５２の出力と除算器４７から出力される調整係数Ｋとが乗算される。加算器５４では、乗算器５３の出力に１が加算される。乗算器６０では、係数Ｂが除算器４７から出力される調整係数Ｋと乗算されてＫ倍され、乗算器６２では、係数Ｃが除算器４７から出力される調整係数Ｋと乗算されてＫ倍される。減算器５６では係数Ｄが１減算されて（Ｄ−１）が計算され、乗算器５７では、減算器５６の出力と除算器４７から出力される調整係数Ｋとが乗算される。加算器５８では、乗算器５７の出力に１が加算される。ここで、加算器５４の出力をＡ’、乗算器６０の出力をＢ’、乗算器６２の出力をＣ’、加算器５８の出力をＤ’とする。
【０１１１】
論理和演算器６４では、下限領域内判定回路２７の出力ＬＯＣおよび上限領域内判定回路２８の出力ＣＯＵの少なくとも一方が「１」のときに「１」が出力され、両方が「０」のときには「０」が出力される。選択器５５では、論理和演算器６４の出力が「１」のときにＡ’が、「０」のときには「１」が出力Ａ”として出力される。また、選択器６１では、論理和演算器６４の出力が「１」のときにＢ”が、「０」のときには「０」が出力Ｂ”として出力される。また、選択器６３では、論理和演算器６４の出力が「１」のときにＣ’が、「０」のときには「０」が出力Ｃ”として出力される。また、選択器５９では、論理和演算器６４の出力が「１」のときにＤ’が、「０」のときには「１」が出力Ｄ”として出力される。
【０１１２】
図９は、補正処理手段３ａの構成を示すブロック図である。
【０１１３】
この補正処理手段３ａでは、補正行列発生手段４から出力された行列を用いて色相の回転とゲイン乗算とが行われる。
【０１１４】
図９に示す補正処理手段３ａは、乗算器３０ａ、３１ａ、３３ａおよび３４ａと、加算器３２ａおよび３５ａとを有している。
【０１１５】
乗算器３０ａでは入力色差信号Ｂ−Ｙと係数Ａ”とが乗算され、乗算器３１ａでは入力色差信号Ｒ−Ｙと係数Ｂ”とが乗算される。また、乗算器３３ａでは入力色差信号Ｂ−Ｙと係数Ｃ”とが乗算され、乗算器３４ａでは入力色差信号Ｒ−Ｙと係数Ｄ”とが乗算される。加算器３２ａでは乗算器３０ａの出力と乗算器３１ａの出力とが加算され、加算器３５ａでは乗算器３３ａの出力と乗算器３５ａの出力とが加算される。
【０１１６】
ここで、
【０１１７】
【数８】
2005286666.tif 000013
とするとき、図８の補正行列発生手段４で計算される行列Ｑ’は、
【０１１８】
【数９】
2005286666.tif 000014
と表される。よって、補正行列発生手段４から補正行列Ｑ”としてＱ’が出力された場合、図９の補正処理手段３ａでは、入力色差信号点に対して行列Ｑによる補正を行った場合の補正ベクトルのＫ倍（Ｋは０以上１以下の範囲内の自然数）だけ補正される。図１０に、その様子を示す。
【０１１９】
図１０は、補正処理手段３ａによる色補正の様子を示す模式図である。この図１０において、縦軸はＲ−Ｙ軸、横軸はＢ−Ｙ軸を表している。
【０１２０】
図１０に示すように、調整中心軸上の入力色差信号点Ｐは行列Ｑによって点Ｐ’に補正される。また、調整中心軸と調整上限境界との間に存在する入力色差信号点Ｓは、行列Ｑによる補正を行った点Ｓ１に対して、入力色差信号点と調整中心軸との距離ＳＣ、および入力色差信号点とそれが属する領域の調整境界との距離ＳＵから算出される調整係数Ｋ倍の補正を行った点Ｓ’に補正される。また、調整中心軸と調整上限境界との間に存在する入力色差信号点Ｔは、行列Ｑによる補正を行った点Ｔ１に対して、入力色差信号点と調整中心軸との距離ＴＣ、および入力色差信号点とそれが属する領域の調整境界との距離ＴＵから算出される調整係数Ｋ倍の補正を行った点Ｔ’に補正される。
【０１２１】
このように、上記調整係数Ｋの性質から、調整対象領域内の入力色差信号点は調整中心軸からの距離が遠いものほど補正による色差信号の２次元座標平面上での移動量が小さくなっており、調整下限境界あるいは調整上限境界上に存在する入力色差信号点の移動量は０となる。これにより、調整対象色相領域境界付近の色差信号点の調整結果をなめらかでスムーズなものにすることができる。
【０１２２】
なお、図８の選択器５５、５９、６１および６３では、入力色差信号点が調整対象領域内にあるときは補正行列Ｑ”行列Ｑ’が出力され、それ以外のときには補正行列Ｑ”として行列Ｉが出力される。これにより、入力色差信号点が調整対象領域外にあるときには補正は行われない。
【０１２３】
本実施形態では、色調整対象領域とその領域に含まれる色差信号点に対する補正量を計算するための補正行列をそれぞれ１つだけ指定した場合について説明したが、それらを複数指定する場合についても、対象色相領域指定手段および調整対象検出手段を複数設けることによって実現可能である。
【０１２４】
以上のように、本実施形態によれば、調整対象色相領域内の色差信号点に対して同一の行列を用いて色相の回転とゲイン乗算を行なうのではなく、補正行列発生手段４により補正対象の色差信号点の調整対象色相領域内での位置に応じて異なる行列係数を生成し、調整対象色相領域内の境界付近で色差信号点に対する補正が小さくなるような行列を生成することにより、特に調整対象色相領域境界付近の色差信号点で滑らかでスムーズに色差信号の調整を行うことが可能である。
【０１２５】
（実施形態３）
図１１は、本発明の色調整装置の実施形態３を示すブロック図である。なお、この図１１において、実施形態１で  を用いて説明したブロックと同じ機能を有するブロックについては同じ符号を付しており、ここでは説明を省略する。
【０１２６】
図１１に示す色調整装置は、調整対象となる色相領域を指定する対象色相領域指定手段１と、入力映像信号の色差信号が、調整対象色相領域に含まれるか否かを判定する調整対象検出手段２と、入力映像信号の色差信号が調整対象色相領域に含まれる場合に、色補正処理を施す補正処理手段３ｂとを備えており、２つの色差信号成分Ｂ−ＹおよびＲ−Ｙが入力されて色調整が行われ、色調整後の２つの色差信号（Ｂ−Ｙ）’および（Ｒ−Ｙ）’が出力される。
【０１２７】
以下に、図１１の色調整装置における補正処理手段３ｂの構成例について説明する。
【０１２８】
図１２は、補正処理手段３ｂの構成例を示すブロック図である。
【０１２９】
この補正処理手段３ｂでは、テーブル参照手段により補正処理が行われる。
【０１３０】
図１２に示す補正処理手段３は、参照テーブル３８と、選択器３６および３７とを有している。
【０１３１】
参照テーブル３８では、入力色差信号点が補正後の色差新郷店に変換されて出力される。参照テーブル３８は、例えば外部からそのテーブルの内容を設定して書き換えることが可能であり、この参照テーブル３８により、入力色差信号点を任意の色差信号点に変換して、２つの色差信号成分で定義される色空間上の所望の色相のみを調整することが可能である。また、調整対象領域の境界部分においても色飛びが発生しないようにテーブルの内容を設定することにより、なめらかな色調整結果を容易に得ることができる。
【０１３２】
選択器３６では参照テーブル３８のＢ−Ｙ出力と入力色差信号Ｂ−Ｙとが調整対象検出手段２からの出力信号ＬＯＵにより選択される。また、選択器３７では参照テーブル３８のＲ−Ｙ出力と入力色差信号Ｒ−Ｙとが調整対象検出手段２の出力信号ＬＯＵにより選択される。ここでは、入力色差信号点が調整対象領域内にあるときは参照テーブル３８による補正後の信号が出力され、入力色差信号点が調整対象領域外にあるときは補正していない入力色差信号がそのまま出力される。これにより、調整対象領域外の入力色差信号点については参照テーブル内にデータを用意する必要がなくなるため、参照テーブルの規模を小さくすることができるという利点がある。
【０１３３】
以上のように、本実施形態によれば、補正処理手段３としてテーブル参照手段（参照テーブル３８）を用いることにより、調整対象色相領域内の各色差信号点を任意の色差信号に補正することが可能であり、特に所望の色相のみを調整する柔軟な色相調整が可能となる。さらに、調整対象領域内の境界付近で色差信号点に対する補正が小さくなるように設定したテーブルを用いることにより、特に調整対象領域の境界付近で滑らかでスムーズに色差信号の調整を行うことが可能である。
【０１３４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１３５】
本発明によれば、画像入力デバイスの特性および画像出力デバイスの特性の違いから生じる色合いの変化、ユーザの思考などに合わせた柔軟性の高い色調整を、所望の色相領域のみを対象として行い、調整対象色相領域境界付近の色差信号点についてもなめらかでスムーズな状態で調整することが可能である。本発明は、カラー画像を処理する画像処理装置、特に入力ディジタル画像情報中の特定色を調整する画像処理装置やこのような画像処理装置を備えた電子機器に好適に用いることが可能である。さらに、回路規模を縮小化を図ることが可能であるため、このような画像処理装置を備えた携帯型電子機器にも好適に用いることができる。
【図面の簡単な説明】
【０１３６】
【図１】本発明の色調整装置の実施形態１の構成を示すブロック図である。
【図２】実施形態１の対象色相領域指定手段の構成を示すブロック図である。
【図３】実施形態１の調整対象検出手段の構成を示すブロック図である。
【図４】実施形態１の補正処理手段の構成を示すブロック図である。
【図５】本発明の色調整装置の実施形態２の構成を示すブロック図である。
【図６】実施形態２の対象色相領域指定手段の構成を示すブロック図である。
【図７】実施形態２の調整対象検出手段の構成を示すブロック図である。
【図８】実施形態２の補正行列発生手段の構成を示すブロック図である。
【図９】実施形態２の補正処理手段の構成を示すブロック図である。
【図１０】実施形態２の色調整装置による色補正処理を説明するための模式図である。
【図１１】本発明の色調整装置の実施形態３の構成を示すブロック図である。
【図１２】実施形態３の補正処理手段の構成を示すブロック図である。
【図１３】特許文献１に記載の従来の色相調整方法を説明するための図である。
【図１４】特許文献２に記載の従来の色相調整装置を説明するためのブロック図である。
【符号の説明】
【０１３７】
１、１ａ  対象色相領域指定手段
２、２ａ  調整対象検出手段
３、３ａ、３ｂ  補正処理手段
４  補正行列発生手段
１０  調整下限境界レジスタ
１１  調整上限境界レジスタ
１２  調整中心軸レジスタ
２４  領域内判定回路
２７  下限領域内判定回路
２８  上限領域内判定回路
３８  参照テーブル
【図１】
2005286666.tif 000015
【図２】
2005286666.tif 000016
【図３】
2005286666.tif 000017
【図４】
2005286666.tif 000018
【図５】
2005286666.tif 000019
【図６】
2005286666.tif 000020
【図７】
2005286666.tif 000021
【図８】
2005286666.tif 000022
【図９】
2005286666.tif 000023
【図１０】
2005286666.tif 000024
【図１１】
2005286666.tif 000025
【図１２】
2005286666.tif 000026
【図１３】
2005286666.tif 000027
【図１４】
2005286666.tif 000028